(57)【要約】【課題】  シャッターが全開と半開と閉の３段階で調整することができるプッシュ式レジスターを提供しようとするもの。【解決手段】  室内側に取り付けるケーシング１と、前記ケーシング１の室内側開口部を開閉可能なシャッター部３と、前記ケーシング１内に回動可能に収容される回転体４と、前記ケーシング１内でシャッター部３の方向に付勢される進退軸部６とを具備し、前記シャッター部３と進退軸部６とは連結され、前記進退軸部６は前記回転体４に内装され且つ外周にカム溝12を有し、前記回転体４は前記カム溝12に案内される案内突起18を内周に有し、前記カム溝12は軸心方向における浅溝部14と中溝部15と深溝部16とこれらを連結して次位置へと案内すべき対向する斜行溝部17とを有し、前記カム溝12の浅溝部14と中溝部15と深溝部16の各位置はシャッター部３の全開位置と半開位置と閉位置とに対応するようにした。【選択図】  図１
2006132880.tif 000002
【特許請求の範囲】
【請求項１】
室内側に取り付けるケーシング（１）と、前記ケーシング（１）の室内側開口部を開閉可能なシャッター部（３）と、前記ケーシング（１）内に回動可能に収容される回転体（４）と、前記ケーシング（１）内でシャッター部（３）の方向に付勢される進退軸部（６）とを具備し、前記シャッター部（３）と進退軸部（６）とは連結され、前記進退軸部（６）は前記回転体（４）に内装され且つ外周にカム溝（12）を有し、前記回転体（４）は前記カム溝（12）に案内される案内突起（18）を内周に有し、前記カム溝（12）は軸心方向における浅溝部（14）と中溝部（15）と深溝部（16）とこれらを連結して次位置へと案内すべき対向する斜行溝部（17）とを有し、前記カム溝（12）の浅溝部（14）と中溝部（15）と深溝部（16）の各位置はシャッター部（３）の全開位置と半開位置と閉位置とに対応するようにしたことを特徴とするプッシュ式レジスター。
【発明の詳細な説明】
【技術分野】
【０００１】
この発明は、室内側のダクトの端末等に取り付け換気を行うためのプッシュ式レジスターに関するものである。
【背景技術】
【０００２】
従来より、家屋の壁や天井等に穿設された換気孔に取り付けられて室内の換気を行うプッシュ式レジスターが知られている（例えば、特許文献１参照）。
【０００３】
図１１に示すように、前記プッシュ式レジスター１０のグリル１８（シャッター）を開ける場合は前記グリル１８をコイルバネ６８の付勢力に反して押すとハートカム６０のカム溝に係止していたシャフト４８のカムガイドピン５８が外れてコイルバネ６８の付勢力で前記カムガイドピン５８がハートカム６０のピン案内溝６２を移動することにより前記グリル１８が前方向に移動してグリル１８を開けることができる。また、開いているグリル１８を閉める場合は前記グリル１８をコイルバネ６８の付勢力に反して押すとハートカム６０のカム溝にシャフト４８のカムガイドピン５８が係止することにより前記グリル１８が後方向に移動してグリル１８を閉めることができる。
【０００４】
しかし、グリル（シャッター）は前記のような開と閉の２段階だけではなく、全開と半開と閉の３段階で調整したいという要望があった。
【特許文献１】実用新案登録第３０５９３５６号公報（第６〜１１頁、図２）
【発明の開示】
【発明が解決しようとする課題】
【０００５】
そこでこの発明は、シャッターが全開と半開と閉の３段階で調整することができるプッシュ式レジスターを提供しようとするものである。
【課題を解決するための手段】
【０００６】
前記課題を解決するためこの発明では次のような技術的手段を講じている。
【０００７】
この発明のプッシュ式レジスターは、室内側に取り付けるケーシングと、前記ケーシングの室内側開口部を開閉可能なシャッター部と、前記ケーシング内に回動可能に収容される回転体と、前記ケーシング内でシャッター部の方向に付勢される進退軸部とを具備し、前記シャッター部と進退軸部とは連結され、前記進退軸部は前記回転体に内装され且つ外周にカム溝を有し、前記回転体は前記カム溝に案内される案内突起を内周に有し、前記カム溝は軸心方向における浅溝部と中溝部と深溝部とこれらを連結して次位置へと案内すべき対向する斜行溝部とを有し、前記カム溝の浅溝部と中溝部と深溝部の各位置はシャッター部の全開位置と半開位置と閉位置とに対応するようにしたことを特徴とする。
【０００８】
このプッシュ式レジスターでは、室内側に取り付けるケーシング内でシャッター部の方向に付勢される進退軸部とシャッター部とが連結され、シャッター部は常時開方向に向けて付勢されており、シャッター部の開状態を調整する場合にはケーシングに向けてシャッター部を押し込む。すると、シャッター部に連結された進退軸部がケーシング内に収容された回転体に対し付勢力に抗して変位せしめられ、回転体の内周の案内突起は進退軸部の外周のカム溝に案内され、カム溝内の元あった位置（浅溝部か中溝部か深溝部）から軸心方向に相対変位して対向する斜行溝部に当接し、押し込みを解除すると次位置（元あった位置の隣接位置の浅溝部か中溝部か深溝部）へと案内される。
【０００９】
ここで、カム溝の浅溝部と中溝部と深溝部の各位置はシャッター部の全開位置と半開位置と閉位置とに対応するようにしたので、シャッター部は全開状態か半開状態か閉状態かにすることができる。
【発明の効果】
【００１０】
この発明は上述のような構成であり、次の効果を有する。
【００１１】
シャッター部は全開状態か半開状態か閉状態かにすることができるので、シャッターが全開と半開と閉の３段階で調整することができるプッシュ式レジスターを提供することができる。
【発明を実施するための最良の形態】
【００１２】
以下、この発明の実施の形態を図面を参照して説明する。
【００１３】
この実施形態のプッシュ式レジスターは室内側のダクトの端末に取り付けて換気を行うものであり、図１乃至図１０に示すように、建物の室内側に取り付ける合成樹脂製のケーシング１と、前記ケーシング１の室内側開口部２を開閉可能なシャッター部３と、前記ケーシング１内に回動可能に収容される筒状の回転体４と、前記ケーシング１内でシャッター部３の方向にスプリング５によって付勢される進退軸部６（図６参照）とを具備する。７はスポンジである。
【００１４】
前記シャッター部３とケーシング１との間にはフィルター材８を介在せしめ、枠体９によりケーシング１内に固定している。前記シャッター部３は、軸方向に進退可能な進退軸部６の先端に嵌合して連結している。図６に示すように、前記進退軸部６はシャッター側軸部材10とケーシング側軸部材11とを相互に嵌合して一体的に形成されると共に、前記回転体４内に内装され、外周にカム溝12を有する。前記カム溝12は、シャッター側軸部材10とケーシング側軸部材11との間の外周面に形成している。前記進退軸部６をシャッター部３の方向に付勢するスプリング５の基端側は、ケーシング１に固定される台座13に嵌合せしめている。
【００１５】
図７乃至図１０に示すように、前記カム溝12は、軸心方向における浅溝部14と中溝部15と深溝部16とこれらを連結して次位置へと案内すべき対向する斜行溝部17とを有する。これら浅溝部14と中溝部15と深溝部16等のセットは、進退軸部６の外周に３組設けている。一方、前記回転体４の内周には、前記カム溝12に沿って案内される３箇所の案内突起18を１２０°おきに形成している。
【００１６】
そして、前記カム溝12の浅溝部14と中溝部15と深溝部16の各位置は、シャッター部３の全開位置と半開位置と閉位置とに対応するようにしている。また、カム溝12は回転体４の内周の案内突起18が、浅溝部14（＝シャッター部３の全開位置）→中溝部15（＝シャッター部３の半開位置）→深溝部16（＝シャッター部３の閉位置）→（浅溝部14から同様に繰り返し）と順に移行していくようにしている。
【００１７】
次に、この実施形態のプッシュ式レジスターの使用状態を説明する。
【００１８】
このプッシュ式レジスターでは、室内側に取り付けるケーシング１内でシャッター部３の方向に付勢される進退軸部６とシャッター部３とが連結され、シャッター部３は常時開方向に向けて付勢されており、シャッター部３の開状態を調整する場合にはケーシング１に向けてシャッター部３を押し込む。
【００１９】
すると、シャッター部３に連結された進退軸部６がケーシング１内に収容された回転体４に対し付勢力に抗して変位せしめられ、回転体４の内周の案内突起18は進退軸部６の外周のカム溝12に案内され、カム溝12内の元あった位置（浅溝部14か中溝部15か深溝部16）から軸心方向に相対変位して対向する斜行溝部17に当接し、押し込みを解除すると次位置（元あった位置の隣接位置の浅溝部14か中溝部15か深溝部16）へと案内される。具体的には、浅溝部14（＝シャッター部３の全開位置）→中溝部15（＝シャッター部３の半開位置）→深溝部16（＝シャッター部３の閉位置）→（浅溝部14から同様に繰り返し）と順に移行していく。
【００２０】
ここで、カム溝12の浅溝部14と中溝部15と深溝部16の各位置はシャッター部３の全開位置と半開位置と閉位置とに対応するようにしたので、シャッター部３は全開状態か半開状態か閉状態とにすることができ、シャッターが全開と半開と閉の３段階で調整することができるという利点がある。
【産業上の利用可能性】
【００２１】
シャッターが全開と半開と閉の３段階で調整することができることによって、種々のプッシュ式レジスターの用途に適用することができる。
【図面の簡単な説明】
【００２２】
【図１】この発明のプッシュ式レジスターの実施形態で、シャッター部が閉状態の場合を説明する断面図。
【図２】シャッター部が半開状態の場合を説明する断面図。
【図３】シャッター部が全開状態の場合を説明する断面図。
【図４】シャッター部が全開状態の場合を説明する全体斜視図。
【図５】進退軸部の先端からシャッター部を外した状態を説明する斜視図。
【図６】このプッシュ式レジスターの分解斜視図。
【図７】進退軸部（シャッター側軸部材、ケーシング側軸部材）と回転体の展開説明図。
【図８】カム溝に対する案内突起の移行の仕方を説明する展開説明図。
【図９】図８の拡大説明図。
【図１０】カム溝に対する案内突起の移行の仕方を説明する軸方向から見た断面図。
【図１１】従来のプッシュ式レジスターの分解斜視図。
【符号の説明】
【００２３】
１  ケーシング
３  シャッター部
４  回転体
６  進退軸部
12  カム溝
14  浅溝部
15  中溝部
16  深溝部
17  斜行溝部
【図１】
2006132880.tif 000003
【図２】
2006132880.tif 000004
【図３】
2006132880.tif 000005
【図４】
2006132880.tif 000006
【図５】
2006132880.tif 000007
【図６】
2006132880.tif 000008
【図７】
2006132880.tif 000009
【図８】
2006132880.tif 000010
【図９】
2006132880.tif 000011
【図１０】
2006132880.tif 000012
【図１１】
2006132880.tif 000013